(57)【要約】【課題】簡単且つ安価な構成で、オプションアクチュエータと、メインアクチュエータとの複合操作時に、オプション装置の速度をあまり変化させずにその作業を継続できるようにする。【解決手段】油圧ポンプ２，３からの圧油をメインコントロールバルブ５〜９，１１よりも上流側の位置からオプションコントロールバルブ１０に供給可能な専用油路Ｌ５０と、オプション操作時に専用油路Ｌ５０を開通させる切換弁５０と、メインコントロールバルブの上流側でかつ切換弁５０の下流側に設けられ、オプション操作時に圧油がメインコントロールバルブ５〜９，１１を通過する流量を制限することによりその圧油が専用油路５０Ｌに供給される流量を確保する流量制限弁５１とを備える。【選択図】図３
2006342663.tif 000002
【特許請求の範囲】
【請求項１】
油圧ショベルの油圧制御回路であって、
走行、旋回及び掘削動作を行うための複数のメインアクチュエータと、
オプションとして設けられるオプションアクチュエータと、
上記各メインアクチュエータの作動を個別に制御する複数のメインコントロールバルブが設けられたメインコントロールバルブブロックと、
上記オプションアクチュエータの作動を制御するオプションコントロールバルブと、
上記メインアクチュエータを操作するメイン操作手段と、
上記オプションアクチュエータを操作するオプション操作手段と、
上記メインアクチュエータ及び上記オプションアクチュエータの油圧源としての複数の油圧ポンプとを備え、これらの油圧ポンプの吐出油を上記メインアクチュエータと上記オプションアクチュエータとに分配して供給するように構成されるとともに、
上記オプション操作手段が操作されたことを検出する検出手段と、
上記油圧ポンプのうちの少なくとも１つの油圧ポンプからの圧油を上記各メインコントロールバルブよりも上流側の位置から上記オプションコントロールバルブに供給可能な専用油路と、
上記オプション操作手段が操作されたときに、上記検出手段からの信号に基づいて、上記専用油路を開通させる切換弁と、
上記メインコントロールバルブの上流側に設けられ、上記オプション操作手段が操作されたときに、上記検出手段からの信号に基づいて、上記メインコントロールバルブを通過する上記吐出油の流量を制限することにより上記専用油路に供給される上記吐出油の流量を確保する流量制限弁とを備えたことを特徴とする油圧ショベルの油圧制御回路。
【請求項２】
請求項１記載の油圧ショベルの油圧制御回路において、
上記メインアクチュエータとして左右の走行用油圧モータを含み、
上記切換弁は、上記両走行用油圧モータと他のアクチュエータとの複合操作時に少なくとも１つの油圧ポンプの吐出油を両走行用油圧モータに振り分ける走行直進弁であり、
この走行直進弁に上記専用油路が設けられることを特徴とする油圧ショベルの油圧制御回路。
【請求項３】
請求項１又は２記載の油圧ショベルの油圧制御回路において、
上記メインアクチュエータの非作動時に、油圧ポンプの全流量を上記専用油路へ合流して供給することを特徴とする油圧ショベルの油圧制御回路。
【発明の詳細な説明】
【技術分野】
【０００１】
本発明はクラッシャーなどのオプション装置を装着可能な油圧ショベルの油圧制御回路に関するものである。
【背景技術】
【０００２】
油圧ショベルの油圧回路の大半は、２つの油圧ポンプを持つ２ポンプシステムである。この油圧ポンプは、旋回モータ、左右走行用モータ、ブームシリンダ、アームシリンダ、バケットシリンダなどのメインアクチュエータと、オプションシリンダなどのオプションアクチュエータとに圧油を分配して供給するようになっている。
【０００３】
ところで、近年、油圧ショベルは、従来の掘削作業に加え、ビルや基礎、自動車などの解体作業にも使用されるようになった。この解体には、バケットに代えて、二股状の先端が開閉動作可能な、いわゆるクラッシャーと呼ばれるオプション装置が用いられる。その場合、クラッシャーの前後動にはバケットシリンダが使用され、旋回動作には旋回モータが使用され、クラッシャーの開閉動作にはオプションシリンダが使用されるので、バケットシリンダ、旋回モータ及びオプションシリンダはクラッシャーを使用する時に同時に操作される複合操作となる。さらに、左右走行用モータ等の他のアクチュエータとの複合操作となることもある。
【発明の開示】
【発明が解決しようとする課題】
【０００４】
しかし、油圧ポンプは、バケットシリンダや旋回モータなどのメインアクチュエータと、オプションシリンダなどのオプションアクチュエータとに圧油を分配して供給するようになっているので、メインアクチュエータに供給される油量が多くなると、オプションアクチュエータに供給される油量が減少することがあり、その減少によりクラッシャーの開閉速度が遅くなって、作業能率に支障を来すおそれがある。
【０００５】
その一方、クラッシャーの開閉速度の良否が作業能率を決定するといわれるほど、素早い動きが望まれており、オペレータからは、ショベル本体の動きはそれ程速くなくてもよいが、クラッシャーの速度だけは落としたくないという強い要請があった。
【０００６】
そこで、コントロールバルブを含む油圧回路に新たな切換回路を組み込んで、クラッシャーとアーム等の複合動作時に、この切換回路を操作して、クラッシャーの開閉動作用のアクチュエータに供給される油量を相対的に増加させる技術が開発されているが（特開平８−４１９３４号公報等）、いずれも油圧回路が複雑化しており、既存のものを使用することによるコスト低減が困難であった。特に既存のコントロールバルブを使用できない場合には、却って油圧ショベルのコストアップを招くことになる。しかも、オプション装置の有無により、油圧回路が大幅に変更されるので、その標準化によるコスト低減を図ることも困難であった。
【０００７】
本発明は以上のような従来の油圧ショベルの油圧制御回路における課題を考慮してなされたものであり、簡単且つ安価な構成で、オプションアクチュエータと、メインアクチュエータとの複合操作時に、オプション装置の速度をあまり変化させずにその作業を継続できる油圧ショベルの油圧制御回路を提供することにある。
【課題を解決するための手段】
【０００８】
上記課題を解決するための手段として、本発明は、油圧ショベルの油圧制御回路であって、走行、旋回及び掘削動作を行うための複数のメインアクチュエータと、オプションとして設けられるオプションアクチュエータと、上記各メインアクチュエータの作動を個別に制御する複数のメインコントロールバルブが設けられたメインコントロールバルブブロックと、上記オプションアクチュエータの作動を制御するオプションコントロールバルブと、上記メインアクチュエータを操作するメイン操作手段と、上記オプションアクチュエータを操作するオプション操作手段と、上記メインアクチュエータ及び上記オプションアクチュエータの油圧源としての複数の油圧ポンプとを備え、これらの油圧ポンプの吐出油を上記メインアクチュエータと上記オプションアクチュエータとに分配して供給するように構成されるとともに、上記オプション操作手段が操作されたことを検出する検出手段と、上記油圧ポンプのうちの少なくとも１つの油圧ポンプからの圧油を上記各メインコントロールバルブよりも上流側の位置から上記オプションコントロールバルブに供給可能な専用油路と、上記オプション操作手段が操作されたときに、上記検出手段からの信号に基づいて、上記専用油路を開通させる切換弁と、上記メインコントロールバルブの上流側に設けられ、上記オプション操作手段が操作されたときに、上記検出手段からの信号に基づいて、上記メインコントロールバルブを通過する上記吐出油の流量を制限することにより上記専用油路に供給される上記吐出油の流量を確保する流量制限弁とを備えたものである。
【０００９】
上記構成によれば、上記オプション操作手段が操作されたときに、上記検出手段からの信号に基づいて上記切換弁が上記専用油路を開通するとともに、上記メインコントロールバルブの上流側でかつ上記切換弁の下流側に設けられた流量制限弁が上記検出手段からの信号に基づいて上記吐出油が上記メインコントロールバルブを通過する流量を制限することにより上記吐出油が上記専用油路に供給される流量を確保する。従って、例えばオプション装置としてクラッシャーを使用する時に、アーム等が操作されていても、クラッシャーの速度をあまり変化させずに解体作業が継続される。しかも、メインコントロールバルブブロックは、オプション装置の装着の有無に関わらず、標準のものが使用できるので、簡単且つ安価な構成が実現される。
【００１０】
さらに、上記メインアクチュエータとして左右の走行用油圧モータを含み、上記切換弁として、上記両走行用油圧モータと他のアクチュエータとの複合操作時に少なくとも１つの油圧ポンプの吐出油を両走行用油圧モータに振り分ける走行直進弁を備え、この走行直進弁に上記専用油路が設けられるものでは、回路構成がさらに簡単化される。
【００１１】
また、上記メインアクチュエータの非作動時に、油圧ポンプの全流量を上記専用油路へ合流して供給することとすれば、この専用油路からオプションアクチュエータへの十分な圧油供給量が確保される。
【発明の効果】
【００１２】
本発明によれば、例えばオプション装置としてクラッシャーを使用する時に、アーム等が操作されていても、クラッシャーの速度をあまり変化させずに解体作業が継続される。しかも、この場合には、メインコントロールバルブブロックは既存のものが使用できるので、簡単且つ安価な構成が実現される。しかも、この場合には、メインコントロールバルブブロックは既存のものが使用できるので、簡単且つ安価な構成が実現される。
【発明を実施するための最良の形態】
【００１３】
まず、本発明とは別の参考例を説明する。
【００１４】
図１は上記参考例に係る油圧ショベルの油圧制御回路図を示したものである。図１において、エンジン１の駆動により第一油圧ポンプ２、第二油圧ポンプ３及び操作用の油圧Ｐａを発生させるパイロットポンプ４がそれぞれ作動する。第一及び第二油圧ポンプ２，３は可変容量形油圧ポンプであり、斜板の傾斜角変位に基づいて吐出流量が変化する斜板式アキシャルピストンポンプで構成されている。
【００１５】
第一及び第二油圧ポンプ２，３から吐出される圧油は、図中左側のセンターバイパスラインＬＣＢに配列されたパイロット式コントロールバルブ、具体的には、右走行モータ５ａを走行動作させるための右走行モータ用制御弁５、バケットシリンダ６ａを伸縮動作させるためのバケットシリンダ用制御弁６、ブームシリンダ７ａを伸縮動作させるためのブームシリンダ用制御弁７に供給されるとともに、図中右側のセンターバイパスラインＲＣＢ上に配設されたパイロット式コントロールバルブ、具体的には左走行モータ８ａを走行動作させるための左走行モータ用制御弁８、旋回モータ９ａを旋回動作させるための旋回モータ用制御弁９、オプションシリンダ１０ａを伸縮動作させるためのオプションシリンダ用制御弁１０、アームシリンダ１１ａを伸縮動作させるためのアームシリンダ用制御弁１１に供給される。
【００１６】
上記右走行モータ５ａ、バケットシリンダ６ａ、ブームシリンダ７ａ、左走行モータ８ａ、旋回モータ９ａ及びアームシリンダ１１ａがメインアクチュエータに相当し、その制御弁５〜９，１１がメインコントロールバルブに相当する。また、上記オプションシリンダ１０ａがオプションアクチュエータに相当し、その制御弁１０がオプションコントロールバルブに相当する。また、各制御弁５〜１１が一体的に組立てられてメインコントロールバルブブロックＶＢが構成される。なお、このメインコントロールバルブブロックＶＢは必ずしも物理的な一体性を意味するものではなく、区画内でほぼまとまった形で配置される場合を含む。
【００１７】
オプションシリンダ１０ａは、第一位置であるア位置と第二位置であるイ位置と第三位置であるウ位置とを有し、通常はイ位置に保持されている。本参考例では、このオプションシリンダ１０ａが、二股状の先端を有する、いわゆるクラッシャーと呼ばれるオプション装置に取り付けられ、その開閉動作を行わせるようになっている。また、クラッシャー装備時には、バケットを取り外しているので、バケットシリンダ６ａでクラッシャーの前後動を行わせ、旋回モータ９ａでクラッシャーの旋回動作を行わせるようにもなっている。
【００１８】
右走行モータ用制御弁５の上流側油路Ｌ１には、走行直進弁１２が介設されている。この走行直進弁１２は、第一位置であるカ位置と第二位置であるキ位置とを有し、通常はカ位置に保持されている。
【００１９】
このカ位置では、第一油圧ポンプ２から吐出される圧油は油路Ｌ１を通じて左センターバイパスラインＬＣＢ側に供給され、一方、第二油圧ポンプ３から吐出される圧油は油路Ｌ２を通じて右センターバイパスラインＲＣＢ側に供給される。従って、右走行モータ用制御弁５及び左走行モータ用制御弁８には、それぞれ第一油圧ポンプ２及び第二油圧ポンプ３から独立して圧油が供給される。
【００２０】
また、図示しない左右の走行レバーを同一位置に操作した状態で、メイン操作手段としての操作弁３１，３２をレバー操作すると、その操作信号がコントローラ２４に入るようになっているので、コントローラ２４はその操作信号の有無より、操作中か否かを判断することができる。そして、コントローラ２４は、この判断に基づいて電磁比例弁２２に指令信号を与え、電磁比例弁２２の動作により、走行直進弁１２はカ位置からキ位置に切り換わる。この走行直進弁１２の切り換えにより、第一油圧ポンプ２から吐出される圧油は、油路Ｌ３を通じて旋回モータ用制御弁９、オプションシリンダ用制御弁１０、アームシリンダ用制御弁１１に分配供給されるようになる。
【００２１】
このとき、第二油圧ポンプ３から吐出される圧油は、油路Ｌ１とＬ２とにパラレルに流れ、左右の走行モータ用制御弁８，５に供給される。それにより、例えば走行モータ８ａ，５ａを駆動しつつブームを起伏させるような複合操作を行う場合であっても、第二油圧ポンプ３から吐出される圧油が左右の走行モータ８ａ，５ａに等しく供給され、走行直進性を保つことができる。
【００２２】
また、左センターバイパスラインＬＣＢにおけるブームシリンダ用制御弁７の下流側には左カット弁１３が設けられ、一方、右センターバイパスラインＲＣＢ上におけるアームシリンダ用制御弁１１の下流側には右カット弁１４が設けられている。
【００２３】
上記左カット弁１３は右センターバイパスラインＲＣＢ側の制御弁が操作されるときに閉じ、一方、右カット弁１４は左センターバイパスラインＬＣＢ側の制御弁が操作されるときに閉じるように動作する。すなわち、走行直進弁１２がキ位置に切り換えられたときには、第二油圧ポンプ３から吐出される圧油は、油路Ｌ１及びＬ２に分流されるため、右センターバイパスラインＲＣＢ側のいずれかの制御弁を操作するときは、左センターバイパスラインＬＣＢ側の左カット弁１３を閉じておかないとポンプ圧が立たないからであり、一方、左センターバイパスラインＬＣＢ側のいずれかの制御弁を操作するときは右センターバイパスラインＲＣＢ側の右カット弁１４を閉じておかないとポンプ圧が立たないからである。
【００２４】
また、油路Ｌ３は右センターバイパスラインＲＣＢにおける左走行モータ用制御弁８の下流側から分岐される合流油路Ｌ４と合流点Ｐで接続されており、この合流点Ｐから延設される油路Ｌ５を通じてオプションシリンダ用制御弁１０に圧油が供給され、合流点Ｐから延設される油路Ｌ６及びＬ７を通じてアームシリンダ用制御弁１１に圧油が供給される。
【００２５】
オプションシリンダ用制御弁１０は、オプション操作手段としてのペダル３０の操作により、スプールの切り換え動作ができるようになっている。すなわち、ペダル３０の非操作時には、オプションシリンダ用制御弁１０はイ位置となっているので、オプションシリンダ１０ａと接続されていないが、ペダル３０が図１中のＡ方向に操作されると、ア位置に切り換わる。すると、第一及び第二油圧ポンプ２，３のいずれかから吐出される圧油は、オプションシリンダ１０ａのヘッド側油室に供給されて、ロッドを伸長させるので、クラッシャーの先端を開状態とすることができる。一方、ペダル３０が図１中のＢ方向に操作されると、オプションシリンダ用制御弁１０はウ位置に切り換わる。すると、第一及び第二油圧ポンプ２，３のいずれかから吐出される圧油は、オプションシリンダ１０ａのロッド側油室に供給されて、ロッドを縮小させるので、クラッシャーの先端を閉状態とすることができる。このように、本参考例では、ペダル３０の操作だけでクラッシャーの開閉動作を簡単に行うことができる。
【００２６】
なお、油路Ｌ３〜Ｌ７における１５，１６，２６及び２７はチェック弁である。図１中、１７はアーム押しを増速するためのアーム押し合流弁であり、同じく１８は、ブーム上げを増速するためのブーム上げ合流弁である。また、上記左右カット弁１３，１４の出口ラインＬ８，Ｌ９は、それぞれリターンラインＬ１０，Ｌ１１と合流し、オイルクーラ１９を介してタンク２０に接続されている。図１中、２１は本回路の最大油圧に応じて開放圧力が設定されたバネ付きチェック弁である。同じく２３，２５は上記コントローラ２４からの指令信号によって制御される電磁比例弁である。
【００２７】
本参考例では、さらに、ペダル３０による上記クラッシャー操作の有無を検出する検出手段としての圧力センサＰ１，Ｐ２と、この圧力センサＰ１，Ｐ２の検出圧力（以下、クラッシャー操作圧という。）でクラッシャー操作が有ることを検出したときに、オプションシリンダ用制御弁１０の動作と関連して使用される、バケットシリンダ用制御弁６、ブームシリンダ用制御弁７、旋回モータ用制御弁９及びアームシリンダ用制御弁１１のメータイン開口と、メータアウト開口との少なくとも一方を絞る絞り手段とを設けている。なお、オプションシリンダ用制御弁１０と、このオプションシリンダ用制御弁１０の動作と関連することなく使用されることの多い左右走行モータ８，５とは、ここでは絞り手段の対象から外しているが、絞り手段の対象としてもよい。
【００２８】
この絞り手段は、バケットシリンダ用制御弁６及びブームシリンダ用制御弁７を操作するための操作弁３１の二次圧を、上記クラッシャー操作有りのときに減圧する電磁比例弁３１１〜３１４と、旋回モータ用制御弁９及びアームシリンダ用制御弁１１を操作するための操作弁３２の二次圧を、上記クラッシャー操作有りのときに減圧する電磁比例弁３２１〜３２４と、操作弁３１の一次圧制御のために、その二次圧を検出する圧力センサＰ３１１〜Ｐ３１４と、操作弁３２の一次圧制御のために、その二次圧を検出する圧力センサＰ３２１〜Ｐ３２４とを備えている。なお、電磁比例弁３１１〜３１４，３２１〜３２４は、ブーム、アーム、クラッシャーの前後動などに応じてその二次圧の設定を個別に行えるものである。また、電磁比例弁３１１〜３１４，３２１〜３２４は、図では明示していないが、一体構造のブロックで構成してそのコンパクト化を図っている。
【００２９】
また、図２に示すように、操作弁３１，３２の一次圧を、上記クラッシャー操作有りのときに減圧する減圧弁４１とレバーロック電磁弁４２を備えている。この減圧弁４１とレバーロック電磁弁４２との組み合わせでは、通常は図２に示すような油路が形成されており、操作弁３１，３２には一次圧がかかっていない状態となる。
【００３０】
減圧弁４１の開度調整による一次圧、すなわち、操作弁３１，３２の一次圧の減圧量は、例えばクラッシャーとブーム上げとの複合動作であれば５０％、クラッシャーとブーム下げとの複合動作であれば減圧なし、クラッシャーとアーム引きとの複合動作であれば６０％、クラッシャーとアーム押しとの複合動作であれば４０％、クラッシャーと旋回との複合動作であれば３０％にそれぞれ減圧するといったように、作業の種類に応じて個別に予め設定されている。
【００３１】
そして、ペダル３０の操作を示す圧力センサＰ１，Ｐ２での検出信号がコントローラ２４に取り込まれると、コントローラ２４から指令信号がレバーロック電磁弁４２に発せられ、この指令信号で遮断レバーが操作されることによって、レバーロック電磁弁４２のポートが切り換わる。すると、パイロット圧Ｐａが減圧弁４１によって上記所定一次圧に減圧されて操作弁３１，３２に取り込まれ、この操作弁３１，３２の二次圧ライン上でさらに個別に減圧されて各制御弁に作用するようになる。この操作弁３１，３２の二次圧ライン上には、上記したように、圧力センサＰ３１１〜Ｐ３１４，Ｐ３２１〜Ｐ３２４が設置されているので、その検出信号もコントローラ２４に取り込まれる。そして、このコントローラ２４から上記信号レベルに比例した指令信号が減圧弁４１に与えられることにより、減圧弁４１のフィードバック制御がなされる。
【００３２】
以上説明したように、オプションシリンダ１０ａでクラッシャーの開閉動作を行わせるとともに、ブームシリンダ６ａと旋回モータ９ａとでクラッシャーの前後動と旋回動作とを行わせる場合、本参考例によれば、クラッシャー操作の有無が検出され、このクラッシャー操作が有ることを検出したときには、バケットシリンダ用制御弁６や旋回モータ用制御弁９などのメータイン開口と、メータアウト開口との少なくとも一方が絞られるので、この絞り量だけバケットシリンダ６ａや旋回モータ９ａなどへの圧油供給量が減少するが、オプションシリンダ用制御弁１０側は絞られないので、オプションシリンダ１０ａへの圧油供給量はほとんど減少しない。したがって、クラッシャーを使用する時に、ショベル本体が操作されていても、クラッシャーの速度をあまり変化させずに解体作業が継続される。したがって、作業が快適、迅速に行うことができるより、作業効率が向上する。しかも、この場合には、メインコントロールバルブブロックＶＢは既存のものが使用できるので、簡単且つ安価な構成が実現される。
【００３３】
次に、本発明の第１の実施の形態を説明する。
【００３４】
図３は本発明の第１の実施の形態に係る油圧ショベルの油圧制御回路を示したものである。なお、上記参考例と共通する要素には同一番号を付して、その重複説明を省略する。
【００３５】
この油圧制御回路は、オプションアクチュエータである上記クラッシャーの操作の有無を検出する検出手段としての圧力ラインＬ５１，Ｌ５２と、第一及び第二油圧ポンプ２，３の少なくとも一方の吐出油を上記メインコントロールバルブブロックＶＢＹの上流側からオプションシリンダ用制御弁１０へ供給可能な専用油路Ｌ５０と、上記クラッシャーの操作の検出の有無に応じて上記専用油路Ｌ５０を開閉させる切換弁５０とを備えている。
【００３６】
この第１の実施の形態では、上記切換弁５０及びオプションシリンダ用制御弁１０がオプションコントロールバルブブロックＶＢＸに含まれ、同ブロックＶＢＸが他の制御弁５〜９，１１等からなる上記メインコントロールバルブブロックＶＢＹに適宜装着可能ないわゆるＡＤＤ−ＯＮ方式が採用されている。
【００３７】
上記切換弁５０は第一位置としてのサ位置と、第二位置としてのシ位置とを有し、通常はサ位置にあるが、クラッシャーを操作するときには、ペダル３０の操作により、圧力ラインＬ５１，Ｌ５２からのパイロット圧によって、この切換弁５０をシ位置に切り換えるようになる。
【００３８】
ただし、同時にショベル本体のアクチュエータ５ａ〜９ａ，１１ａを動作させないときは、第一及び第二油圧ポンプ２，３の全流量を切換弁５０の専用油路Ｌ５０へ合流して供給するようにして、この専用油路Ｌ５０からオプションシリンダ用制御弁１０を介してオプションシリンダ１０ａへの圧油供給が行われるようになる。
【００３９】
一方、このショベル本体のアクチュエータ５ａ〜９ａ，１１ａを動作させるときは、その制御弁５〜９，１１への供給流量を制限して、余剰油を切換弁５０の専用油路Ｌ５０に合流して供給するようにして、この専用油路Ｌ５０からオプションシリンダ用制御弁１０を介してオプションシリンダ１０ａへの圧油供給が行われるようになっている。このために、切換弁５０の下流側であって上記メインコントロールバルブブロックＶＢＸの上流側の位置に、絞り弁５２と、ペダル３０の操作圧に応じて流量調整する流量制限弁であるフローコントローラ５１とが設けられている。ただし、流量調整機能付きの絞り弁を使用することで、フローコントローラ５１を省略することもできる。
【００４０】
この第１の実施の形態では、上記クラッシャー操作の有無が検出され、この操作の有無に応じて、第一及び第二油圧ポンプ２，３の少なくとも一方の吐出油を上記オプションシリンダ１０ａへ供給可能な切換弁５０の専用油路Ｌ５０の開閉が行われる。具体的には、上記クラッシャーの操作時に、上記油圧ポンプから分配供給される油路に加えて、専用油路Ｌ５０が開放されるとともに、上記アクチュエータ５ａ〜９ａ，１１ａを動作させるときはその制御弁５〜９，１１への供給流量が制限され、これによりオプションシリンダ用制御弁１０への圧油供給量が確保される。したがって、クラッシャーを使用する時に、ショベル本体が操作されていても、クラッシャーの速度をあまり変化させずに解体作業が継続される。したがって、作業が快適、迅速に行えるので、作業効率が向上する。しかも、この場合には、メインコントロールバルブブロックＶＢＹは、オプション装置の装着の有無に関わらず、標準のものが使用できるので、簡単且つ安価な構成が実現される。
【００４１】
図４は本発明の第２の実施の形態に係る油圧ショベルの油圧制御回路を示したものである。なお、上記実施形態１，２と共通する要素には同一番号を付して、その重複説明を省略する。
【００４２】
この第２の実施の形態では、図４に示すように、メインコントロールバルブブロックＶＢＺ内に配置された走行直進弁６０に専用油路Ｌ６０を組み込んでいるので、上記第１の実施の形態のような単独の切換弁５０を備えたオプションコントロールバルブブロックＶＢＸは設けていない。
【００４３】
この走行直進弁６０は第一位置としてのタ位置、第二位置としてのチ位置に加え、第三位置としてのツ位置を有し、通常はタ位置にある。そして、コントローラ２４はクラッシャー操作圧からクラッシャー操作が有ることを判断すると、電磁比例弁６１に指令信号を与え、この指令信号により電磁比例弁６１を動作させ、走行直進弁６０をチ位置、更には、ツ位置に切り換えることで、上記実施形態２で説明したような所定の流量制御が行われるようになる。
【００４４】
すなわち、クラッシャーを操作するときには、ペダル３０の操作により、この走行直進弁６０をツ位置に切り換えるが、同時にショベル本体のアクチュエータ５ａ〜９ａ，１１ａを動作させないときは、第一及び第二油圧ポンプ２，３の全流量を走行直進弁６０の専用油路Ｌ６０へ合流して供給するようにして、この専用油路Ｌ６０からオプションシリンダ用制御弁１０を介してオプションシリンダ１０ａへの圧油供給が行われるようになる。
【００４５】
一方、このショベル本体のアクチュエータ５ａ〜９ａ，１１ａを動作させるときは、その制御弁５〜９，１１への供給流量を制限し、余剰油を走行直進弁６０の専用油路Ｌ６０に合流して供給するようにして、この専用油路Ｌ６０からオプションシリンダ用制御弁１０を介してオプションシリンダ１０ａへの圧油供給が行われるようになる。このために、走行直進弁６０の下流側に絞り弁６２と、ペダル３０の操作圧に応じて流量調整する流量制限弁であるフローコントローラ６３とを設けている。
【００４６】
ただし、このフローコントローラ６３は、ペダル３０の操作圧を圧力センサ６４で検出し、この検出圧力に応じたコントローラ２４からの指令信号により、電磁比例弁６５を動作させ、制限流量調節器６６による設定範囲内で、上記流量調整を行うようになっている。
【００４７】
この第２の実施の形態では、上記第１の実施の形態と同様の作用効果に加え、実施形態２の切換弁５０のような単体の切換弁を必要としないので、その回路構成が簡単化されるというメリットがある。したがって、特に小型の建設機械における回路構成が容易となる。
【図面の簡単な説明】
【００４８】
【図１】参考例に係る油圧ショベルの油圧回路図である。
【図２】上記参考例での操作弁の一次圧側での制御例を示す説明図である。
【図３】本発明の第１の実施の形態に係る油圧ショベルの油圧回路図である。
【図４】本発明の第２の実施の形態に係る油圧ショベルの油圧回路図である。
【符号の説明】
【００４９】
２      第一油圧ポンプ
３      第二油圧ポンプ
５      右走行モータ用制御弁（メインコントロールバルブ）
５ａ    右走行モータ（メインアクチュエータ）
６    バケットシリンダ用制御弁（メインコントロールバルブ）
６ａ    バケットシリンダ（メインアクチュエータ）
７      ブームシリンダ用制御弁（メインコントロールバルブ）
７ａ    ブームシリンダ（メインアクチュエータ）
８      左走行モータ用制御弁（メインコントロールバルブ）
８ａ    左走行モータ（メインアクチュエータ）
９      旋回モータ用制御弁（メインコントロールバルブ）
９ａ    旋回モータ（メインアクチュエータ）
１０    オプションシリンダ用制御弁（オプションコントロールバルブ）
１０ａ  オプションシリンダ（オプションアクチュエータ）
１１    アームシリンダ用制御弁（メインコントロールバルブ）
１１ａ  アームシリンダ（メインアクチュエータ）
１２    走行直進弁
２４    コントローラ（絞り手段）
３０    ペダル（オプション操作手段）
３１，３２  操作弁（メイン操作手段）
５０    切換弁
５１    フローコントローラ（流量制限弁）
５２    絞り弁
６０    走行直進弁
６１    電磁比例弁
６２    絞り弁
６３    フローコントローラ（流量制限弁）
Ｐ１，Ｐ２  圧力センサ（検出手段）
Ｌ５０，Ｌ６０  専用油路
ＶＢ，ＶＢＹ，ＶＢＺ  メインコントロールバルブブロック
ＶＢＸ  オプションコントロールバルブブロック
【図１】
2006342663.tif 000003
【図２】
2006342663.tif 000004
【図３】
2006342663.tif 000005
【図４】
2006342663.tif 000006